(57)【要約】【課題】  本発明は、長期に亘って野外に放置されても昆虫の化学通信物質等の液体の粘度が変化せず、安定してこれらの液体を液滴として吐出できる液滴吐出方法及びこの液滴吐出方法に使用する液滴吐出装置のカートリッジを提供することを目的とする。【解決手段】  液滴吐出装置１を用いて液滴を吐出する方法であって、単一の組成物からなる液体９を液滴として吐出するものである。または、液滴吐出装置１を用いて液滴を吐出する方法であって、単一の組成物からなる液体と、この液体と粘度が同一である溶媒との混合液を液滴として吐出するものである。【選択図】        図１
2005125225.tif 000002
【特許請求の範囲】
【請求項１】
液滴吐出装置を用いて液滴を吐出する方法であって、単一の組成物からなる液体を液滴として吐出することを特徴とする液滴吐出方法。
【請求項２】
液滴吐出装置を用いて液滴を吐出する方法であって、単一の組成物からなる液体と、前記液体と粘度が同一である溶媒との混合液を液滴として吐出することを特徴とする液滴吐出方法。
【請求項３】
前記液体が、昆虫フェロモンであることを特徴とする請求項１又は２記載の液滴吐出方法。
【請求項４】
前記液体が、昆虫を誘引する昆虫誘引物質であることを特徴とする請求項３記載の液滴吐出方法。
【請求項５】
前記液体が、昆虫の摂食を阻害する昆虫摂食阻害物質であることを特徴とする請求項１又は２記載の液滴吐出方法。
【請求項６】
前記液体が、脱臭剤であることを特徴とする請求項１又は２記載の液滴吐出方法。
【請求項７】
前記液体が、香水であることを特徴とする請求項１又は２記載の液滴吐出方法。
【請求項８】
前記液滴吐出装置が、インクジェットヘッドから液滴を吐出することを特徴とする請求項１〜７のいずれかに記載の液滴吐出方法。
【請求項９】
請求項８記載の液滴吐出方法に使用され、交換が可能であって、前記液滴吐出装置から吐出する液体を収容することを特徴とするカートリッジ。
【請求項１０】
前記インクジェットヘッドが搭載されていることを特徴とする請求項９記載のカートリッジ。
【発明の詳細な説明】
【技術分野】
【０００１】
本発明は液滴吐出方法に関し、特に農作物の無農薬又は低農薬栽培のために昆虫の交信攪乱作用を有する昆虫フェロモンや昆虫摂食阻害物質等を吐出して散布したり、脱臭剤等を吐出するための液滴吐出方法及びこの液滴吐出方法に使用される液滴吐出装置のカートリッジに関する。
【背景技術】
【０００２】
従来の昆虫誘殺装置では、昆虫誘殺装置の上部構造体に取付けられた誘引物質保持体に昆虫の化学通信物質である昆虫誘引物質を収容し、この昆虫誘引物質を自然気化させることにより、昆虫を昆虫誘殺装置の内部におびき寄せるようにしていた（例えば、特許文献１参照）。
【０００３】
また、従来の昆虫の交信攪乱物質の吐出装置では、自動噴霧器等を用いて特定の昆虫の性的な交信攪乱を起こす交信攪乱物質を吐出して、交信攪乱物質を空気中に散布することにより昆虫の交尾を阻害して、昆虫が大量発生するのを防止するようにしていた。
【特許文献１】特開２０００−５０号公報（第４頁、図１）
【発明の開示】
【発明が解決しようとする課題】
【０００４】
従来の昆虫誘殺装置では（例えば、特許文献１参照）、昆虫誘引物質を自然気化させて昆虫誘引物質を空気中に拡散しているため、例えば外気が高温であった場合には昆虫誘引物質が過剰に気化してしまい高価な昆虫誘引物質が無駄になってしまうという問題点があった。また昆虫誘引物質を自然気化させた場合には、風の影響で所望の場所（例えば、農作物を栽培している農地）に昆虫誘引物質を拡散させることができないという問題点があった。
【０００５】
また従来の昆虫の交信攪乱物質の吐出装置では、自動噴霧器等を用いて吐出しているため、上記の昆虫誘殺装置のような問題点はないものの、一般的に交信攪乱物質は溶媒と混合されているため、例えば溶媒のみが気化してしまった時に、交信攪乱物質と溶媒の混合液の粘度が高くなり、自動噴霧器等から正常に吐出できなくなってしまうという問題点があった。特に、昆虫の交信攪乱物質の吐出装置は長期に亘って野外に放置されるため、溶媒が気化して交信攪乱物質と溶媒の混合液の粘度が高くなってしまうという問題は深刻であった。また、交信攪乱物質と溶媒の混合液の粘度が高くなってしまった場合には、溶媒を追加したり付加的な圧力装置を使用しなければならず、手間がかかったり吐出装置が複雑になるという問題点があった。
【０００６】
本発明は、長期に亘って野外に放置されても昆虫の化学通信物質等の液体の粘度が変化せず、安定してこれらの液体を液滴として吐出できる液滴吐出方法及びこの液滴吐出方法に使用する液滴吐出装置のカートリッジを提供することを目的とする。外気の温度等により昆虫の化学通信物質等の液体の散布量が変化せず、所望の場所に昆虫の化学通信物質等を拡散させることのできる液滴吐出方法を提供することを目的とする。
【課題を解決するための手段】
【０００７】
本発明に係る液滴吐出方法は、液滴吐出装置を用いて液滴を吐出する方法であって、単一の組成物からなる液体を液滴として吐出するものである。
液滴吐出装置を用いて液滴を吐出するため、例えば昆虫誘引物質を自然気化させる昆虫誘殺装置のように、昆虫誘引物質の多くが無駄になるということがない。また、単一の組成物からなる液体を液滴として吐出するようにしているため、この単一の組成物からなる液体が気化した場合でも、粘度が変化せず液滴吐出装置から安定して吐出させることができる。特に、昆虫フェロモンを吐出する場合には、長期に亘って液滴吐出装置を野外に放置するのが一般的なため、液体の気化が無視できず、粘度を一定に保って吐出不良が起こらないようにすることが重要となる。また、液滴として吐出する液体の粘度が一定に保たれるため、圧力装置等の復旧手段が不要となる。
【０００８】
また本発明に係る液滴吐出方法は、液滴吐出装置を用いて液滴を吐出する方法であって、単一の組成物からなる液体と、この液体と粘度が同一である溶媒との混合液を液滴として吐出するものである。
上記の液滴吐出方法と同様に、液滴吐出装置を用いて液滴を吐出するため、例えば昆虫誘引物質を自然気化させる昆虫誘殺装置のように、昆虫誘引物質の多くが無駄になるということがない。また、単一の組成物からなる液体と、この液体と粘度が略同一である溶媒との混合液を液滴として吐出するようにしているため、この単一の組成物からなる液体又は溶媒が気化した場合でも、粘度が変化せず液滴吐出装置から安定して吐出させることができる。これは、単一の組成物からなる液体が先に気化した場合でも、溶媒が先に気化した場合でも同様である。また、液滴として吐出する液体の粘度が一定に保たれるため、圧力装置等の復旧手段が不要となる。
【０００９】
また本発明に係る液滴吐出方法は、上記の液体が、昆虫フェロモンであるものである。
農地等において、昆虫フェロモンの一種、例えば特定の昆虫（害虫等）の交信攪乱作用を有する昆虫攪乱物質を吐出して散布するようにすれば、農薬を使用せずにその昆虫の交尾を阻害して、昆虫が大量発生するのを防止することができ、無農薬又は低農薬栽培を実現することができる。
【００１０】
また本発明に係る液滴吐出方法は、上記の液体が、昆虫を誘引する昆虫誘引物質であるものである。
農地等において、昆虫フェロモンの一種であり、特定の昆虫（害虫等）を誘引する昆虫誘引物質を吐出して散布するようにし、この特定の昆虫を捕獲してローラー等で圧死させるようにすれば、無農薬又は低農薬栽培を実現することができる。
【００１１】
また本発明に係る液滴吐出方法は、上記の液体が、昆虫の摂食を阻害する昆虫摂食阻害物質であるものである。
農地等において、特定の昆虫（例えば、害虫）の摂食を阻害する昆虫摂食阻害物質を吐出して散布するようにすれば、この特定の昆虫は餓死してしまうため無農薬又は低農薬栽培を実現することができる。
【００１２】
また本発明に係る液滴吐出方法は、上記の液体が、脱臭剤であるものである。
上記の液滴吐出方法は、室内等に脱臭剤を散布する場合にも適用することができる。例えば、単一の組成物からなる脱臭剤を吐出するようにすれば吐出不良が起こることがなく、また、後に示すようにインクジェットヘッドを用いて脱臭剤を吐出するようにすれば、微量の脱臭剤を効率よく所望の場所に散布することができる。
【００１３】
また本発明に係る液滴吐出方法は、上記の液体が、香水であるものである。
上記の液滴吐出方法は、脱臭剤と同様に、室内等に香水を散布する場合にも適用することができる。例えば、単一の組成物からなる香水を吐出するようにすれば吐出不良が起こることがなく、また、後に示すようにインクジェットヘッドを用いて香水を吐出するようにすれば、微量の香水を効率よく所望の場所に散布することができる。
【００１４】
また本発明に係る液滴吐出方法は、上記の液滴吐出装置が、インクジェットヘッドから液滴を吐出するものである。
液滴吐出装置が、インクジェットヘッドから液滴を吐出するため、液滴として吐出する液体の多くが気化して無駄になるということがない。また、インクジェットヘッドから液滴を吐出すれば、所望の場所に必要量を高精度に散布することができる。
【００１５】
本発明に係るカートリッジは、上記の液滴吐出方法に使用され、交換が可能であって、液滴吐出装置から吐出する液体を収容するものである。
このカートリッジは交換が可能であるため、例えば吐出する液体が無くなった場合に、カートリッジを交換することにより容易に液体を補充することができる。
【００１６】
また本発明に係るカートリッジは、上記のインクジェットヘッドが搭載されているものである。
上記の交換可能なカートリッジにインクジェットヘッドが搭載されているため、カートリッジの交換の際にインクジェットヘッドも交換されることとなる。このように、インクジェットヘッドが比較的頻繁に交換されることにより、上記の液滴吐出方法における液滴の吐出不良が発生する可能性を更に低減させることができる。
【発明を実施するための最良の形態】
【００１７】
実施形態１．
図１は、本発明の実施形態１に係る液滴吐出方法に使用される液滴吐出装置を示す平面図である。なお図１（ａ）は、液滴吐出装置１に前面部２を取付けた状態を示した平面図であり、図１（ｂ）は液滴吐出装置１から前面部２を取り外した状態を示した平面図である。
図１（ａ）に示すように、液滴吐出装置１の前面部２には電源スイッチ等からなる操作パネル３が備えられている。また図１（ｂ）に示すように、前面部２を取り外すと液滴吐出装置１の内部には、電池４を取付けるための電池取付け部５、駆動回路６、カートリッジ７を取付けるためのカートリッジ取付け部８が設けられている。また、カートリッジ７の内部には昆虫の交信攪乱作用を有する昆虫攪乱物質等の液体９が収容されており、カートリッジ７の一端には液滴吐出装置１の外部に露出する形でインクジェットヘッド１０が搭載されている。このインクジェットヘッド１０は、例えば液滴吐出装置１の下面から露出するようにする。
なお、液滴吐出装置１から液体９を液滴として吐出させるために、インクジェットヘッド１０の代わりにスプレータイプのもの等を使用してもよい。
【００１８】
図２は、図１に示す液滴吐出装置１を用いて液体９を吐出する液滴吐出方法を実施する例を示す斜視図である。
図２に示すように、例えば農地５１に複数の支柱５２が設置されており、それぞれの支柱５２の適当な高さの位置に液滴吐出装置１が取付けられている。なお、このとき１本の支柱５２に複数の液滴吐出装置１を取付けてもよい。これらの液滴吐出装置１からは、液滴として昆虫フェロモン（例えば、昆虫の交信攪乱作用を有する昆虫攪乱物質や昆虫を誘引する昆虫誘引物質）、昆虫の摂食を阻害する昆虫摂食阻害物質等が吐出される。即ち、カートリッジ７の内部に上記の物質等からなる液体が収容されており、これらの物質（液体）を液滴としてインクジェットヘッド１０から吐出するようになっている。これにより、これらの物質が液滴吐出装置１から吐出され、空気中に散布されて所望の区画に拡散されるようになっている。
なお、本実施形態１では単一の組成物からなる昆虫攪乱物質等又は単一の組成物からなる物質（液体）とこの液体と粘度が略同一である溶媒の混合液を吐出するようにするが、その詳細は後に説明する。
【００１９】
ここで、図１に示す液滴吐出装置１の機能及び動作について説明する。液滴吐出装置１は、電池取付け部５に取付けられた電池４から電力の供給を受け駆動するようになっている。なお、必ずしも液滴吐出装置１は電池で駆動させる必要はなく、家庭用電源等を用いて駆動させるようにしてもよい。カートリッジ取付け部８には、カートリッジ７が取付けられる。このカートリッジ７には上述のように、内部に昆虫攪乱物質等の液体９が収容され、一端にインクジェットヘッド１０が搭載されている。このカートリッジ７は交換が可能であり、例えばカートリッジ７の内部の液体９が無くなった場合又は少なくなった場合には新しいカートリッジ７と取り替えができるようになっている。このとき、インクジェットヘッド１０はカートリッジ７と一体となっているため、カートリッジ７を交換するとインクジェットヘッド１０も交換されることとなる。
なお、インクジェットヘッド１０をカートリッジ７に搭載するのではなく、液滴吐出装置１の本体に設けるようにして、カートリッジ７のタンク部のみを交換可能とする構成を取ることもできる。
【００２０】
駆動回路６は、液体９をインクジェットヘッド１０から液滴として吐出するときの制御を行い、制御板（図１（ｂ）において図示せず）等から構成されている。この駆動回路６は、例えば毎日どの時間帯に液滴を吐出するかや、何月から何月の期間は液滴の吐出量をどれだけにするか等の制御を行う。この制御を行う制御条件は、駆動回路６にあらかじめＲＯＭ等でプリセットしておいてもよいが、例えば無線通信で駆動回路６に制御条件を送信するようにして適宜制御条件を変更できるようにしてもよい。また、図２に示すような農地５１で液滴を吐出して昆虫攪乱物質等を散布する場合には、駆動回路６に風量及び風向きを検知する検知器（図１（ｂ）において図示せず）を内蔵するようにし、そのデータに基づいて液滴の吐出量や吐出方向を制御するようにしてもよい。なお、液滴の吐出方向を変化させるためには、図１に示す液滴吐出装置１に別途液滴の吐出方向を変化させるための機構を設ける必要がある。
【００２１】
ここで、図１に示すような液滴吐出装置１を用いて、図２のような農地５１や緑地、森林等に昆虫攪乱物質等の液体を液滴として吐出する液滴吐出方法について説明する。
まず、昆虫フェロモンの一種である昆虫攪乱物質を液滴吐出装置１を用いて吐出して空気中に散布する場合には、単一の組成物からなる昆虫攪乱物質（常温で液体）を液滴として吐出するようにする。なお、ここで単一の組成物からなる昆虫攪乱物質とは、水分や溶媒としてのアルコール等を含まず、ほぼ純度が１００％の昆虫攪乱物質の液体をいうものとする。また昆虫攪乱物質とは、昆虫の化学通信物質であり、昆虫フェロモンの内、交信攪乱作用のある物質や、誘引作用のある物質をいう。この昆虫攪乱物質としては、ドデシルアセテート、Ｚ８−ジデセニルアセテート、Ｚ１１−テトラデセニルアセテート等を用いることができる。これらの物質は、空気中に拡散されると、特定の昆虫（特に害虫）を誘引して捕獲することが可能であったり、オスがメスの位置を認識することができなくなり、特定の昆虫の交尾を阻害したりすることができる。いずれも、昆虫の行動をコントロールして害虫等を駆除できるため、無農薬又は低農薬で害虫等の大量発生を防止することができることとなる。また、環境汚染の低減も可能となる。
【００２２】
なお、単一の組成物からなる昆虫攪乱物質を液滴吐出装置１から吐出するのではなく、単一の組成物からなる昆虫攪乱物質と、この昆虫攪乱物質と粘度が同一である溶媒との混合液を吐出して空気中に散布するようにしてもよい。ここで粘度が同一とは、粘度がほぼ同一であるものを含むものとし、粘度の差が４０％以内のものをいうものとする。例えば、昆虫攪乱物質として粘度が２５℃で約３．２ｍＰａ秒のドデシルアセテートを用いた場合には、同じく２５℃で約２．３ｍＰａ秒のｎ−テトラデカンを用いることができる。このｎ−テトラデカンはドデシルアセテートに対する安定性も高く、溶媒として適したものである。
【００２３】
上記のように単一の組成物からなる昆虫攪乱物質、又は単一の昆虫攪乱物質とこの昆虫攪乱物質と粘度が同一である溶媒との混合液を、液滴吐出装置１から液滴として吐出するようにすれば、インクジェットヘッド１０のノズル穴（図１（ｂ）において図示せず）等から昆虫攪乱物質又は溶媒が気化してしまった場合でも、昆虫攪乱物質又は混合液の粘度がほとんど変化せず、ノズル穴等が詰まって吐出不良が起こることがない。このため、図２に示すような農地５１等において、液滴吐出装置１を野外に長期間（例えば、１年）放置しても昆虫攪乱物質又は混合液の粘度を一定に保って、吐出性能の信頼性を維持することができる。
【００２４】
次に液滴吐出装置１から、昆虫フェロモンの一種であり、昆虫を誘引する昆虫誘引物質を吐出して空気中に散布する場合について説明する。なお昆虫誘引物質の場合にも、単一の組成物からなる昆虫誘引物質（常温で液体）、又は単一の組成物からなる昆虫誘引物質とこの昆虫誘引物質と粘度が同一である溶媒との混合液を液滴として吐出するようにする。このようにすることで、昆虫攪乱物質の場合と同様に、昆虫誘引物質又は混合液の粘度の変化を抑制することができる。なお、粘度が同一であるという定義は、昆虫攪乱物質の場合と同様である。
昆虫誘引物質を液滴吐出装置１（図１及び図２参照）から吐出して、空気中に昆虫誘引物質を散布すると、ある特定の昆虫（例えば、害虫）が誘引され昆虫誘引物質が拡散している箇所に集まる。例えばここに昆虫を潰すためのローラーを備えた箱体を置いておき、この箱体の中に昆虫を誘導するようにする。これにより昆虫が箱体の内部に誘導され、ローラーで潰されて圧死することとなる。このため、昆虫誘引物質を吐出する場合には、あまり広い範囲に拡散しないようにするのが望ましい。
上記のように昆虫誘引物質を液滴吐出装置１から吐出するようにして、例えば昆虫をローラー等で圧死させるようにすれば、昆虫（特に害虫）を駆除することができ、無農薬又は低農薬栽培を実現することができる。また、環境汚染の低減も可能となる。
【００２５】
さらに、液滴吐出装置１から昆虫の摂食を阻害する昆虫摂食阻害物質を吐出して空気中に散布する場合について説明する。なお、昆虫摂食阻害物質の場合も、単一の組成物からなる昆虫摂食阻害物質（常温で液体）、又は単一の組成物からなる昆虫摂食阻害物質とこの昆虫摂食阻害物質と粘度が同一である溶媒との混合液を液滴として吐出するようにする。なおこの場合、昆虫摂食阻害物質又は混合液の粘度がほぼ変化しないのは昆虫攪乱物質の場合と同様であり、粘度等の定義も昆虫攪乱物質の場合と同様である。
昆虫摂食阻害物質としては、ポリゴジアール、アザジラクチン等が挙げられる。これらの昆虫摂食阻害物質を液滴吐出装置１から吐出して空気中に散布すると、これらが付着した餌を特定の昆虫（特に害虫）は食べられなくなり、昆虫の摂食が阻害され、摂食阻害活性が強い場合には餓死する。摂食阻害物質は、一定の濃度で人体に対して無害である上に、昆虫の天敵である肉食性昆虫やミミズ等の土中有益動物に対しても無害であって環境への影響も無いため、無農薬又は低農薬栽培を実現することができる。また、環境汚染の低減も可能となる。
【００２６】
図３は、実施形態１に係る液滴吐出装置１にカートリッジ７が取付けられた状態を示す部分斜視図である。なお図３では、カートリッジ取付け部８を部分的に断面で示している。また、インクジェットヘッド１０の上面側は透明な状態で示している。
図３に示すように、インクジェットヘッド１０とタンク部１１からなるカートリッジ７がカートリッジ取付け部８に取付けられている。上述のように本実施形態１では、インクジェットヘッド１０とタンク部１１が一体となってカートリッジ７を構成しており、カートリッジ７は交換可能となっている。カートリッジ７のタンク部１１の内部には、昆虫攪乱物質等の液体９（図３において図示せず）が収容される。またタンク部１１は、例えば収容する液体９に対して耐性のある可撓性のゴム材料からなる。このように可撓性のあるゴム材料等からタンク部１１を構成し、液体９を吐出しない場合には若干の負圧がかかるようにすれば、タンク部１１に収容された液体９がインクジェットヘッド１０のノズル穴（後述）から漏れることがない。また液体９の残量に応じて、かかる圧力が適当に変化する。タンク部１１を構成する可撓性のゴム材料として、例えばフッ素ゴムを用いることができる。
【００２７】
図４は、カートリッジ７のインクジェットヘッド１０の部分を抽出した拡大分解図である。なお、本実施形態１で採用しているインクジェットヘッド１０は、静電駆動方式のものである。
図４に示すようにインクジェットヘッド１０は、キャビティ基板２１、電極基板２２及びカバーガラス２３が陽極接合等により接合されて構成されている。キャビティ基板２１は、例えば単結晶シリコンからなり、エッチング等によって液体供給口２５、オリフィス２６、吐出室２７、ノズル穴２８となる凹部が形成されている。また、吐出室２７の底面部は振動板２９となっており、キャビティ基板２１には電圧をかけるための共通電極３０が形成されている。
電極基板２２は例えばホウ珪酸ガラスからなり、エッチング等で形成された凹部にＩＴＯ等からなる個別電極３１及び配線３２が設けられている。
また、カバーガラス２３はホウ珪酸ガラス、単結晶シリコン等からなる。
【００２８】
図４に示すインクジェットヘッド１０では、タンク部１１から上述の昆虫攪乱物質等の液体９が液体供給口２５からオリフィス２６を通って、吐出室２７に供給される。振動板２９と個別電極３１の間には、それぞれ共通電極３０及び配線３２を介して電圧が印加されるようになっており、液体９を吐出する吐出室２７の底面部の振動板２９とそれに対応した個別電極３１に電圧が印加されると、その振動板２９は電極基板２２側に撓んで変形する。このとき、吐出室２７内に液体９が吸引される。そして、振動板２９と個別電極３１の間に印加された電圧を除去すると、振動板２９は元の状態に戻り吐出室２７の内部の圧力が上昇する。これにより、液体９が液滴としてノズル穴２８から吐出されるようになっている。
【００２９】
なおこのインクジェットヘッド１０は、一般のインクジェットプリンタ等に使用されるインクジェットヘッドよりも小型のものであり、オリフィス２６、吐出室２７、ノズル穴２８等のサイズは、液体９の粘度に応じて吐出不良が起こらないように設計されている。また、振動板２９と個別電極３１のギャップ（間隔）は精密に一定になるように作成されており、振動板２９と個別電極３１に電圧を印加して振動板２９を変形させるときには、振動板２９が個別電極３１と当接するようになっている。このようにすることによって、吐出される液滴を微量且つ一定量にすることができる。
図４に示すようなインクジェットヘッド１０では一般的に、上述のドデシルアセテートの液滴の一粒が約１００ｐｌとなる。
【００３０】
本実施形態１では、単一の組成物からなる液体９を液滴として吐出するようにしているため、この単一の組成物からなる液体９が気化した場合でも、粘度が変化せず液滴吐出装置１から安定して吐出させることができる。
また、単一の組成物からなる液体と、この液体と粘度が略同一である溶媒との混合液を液滴として吐出するようにしているため、この単一の組成物からなる液体又は溶媒が気化した場合でも、粘度が変化せず液滴吐出装置１から安定して吐出させることができる。
【００３１】
実施形態２．
本発明の実施形態２では、液滴吐出装置から脱臭剤（常温で液体）又は香水（常温で液体）を吐出する。なお、脱臭剤又は香水を液滴吐出装置から吐出するときは、実施形態１と同様に単一の組成物からなる脱臭剤又は香水を吐出する。また、単一の組成物からなる脱臭剤又は香水と、脱臭剤又は香水と粘度が同一である溶媒との混合液を液滴として吐出するようにしてもよい。このようにすることで、実施形態１の場合と同様に、脱臭剤、香水又は混合液の粘度の変化を抑制することができる。なお、粘度が同一であるという定義は、実施形態１と同様である。
なお、液滴吐出装置の構成、機能、動作等は実施形態１の図１、図３、図４に示すものと同様である。なお脱臭剤や香水は、一般的に室内等で吐出される場合が多いため、液滴吐出装置の外観を部屋のデザインに合わせたり、ハンディタイプの構成にすることもできる。
【００３２】
本実施形態２では、単一の組成物からなる脱臭剤又は香水を液滴として吐出するようにしているため、この単一の組成物からなる脱臭剤又は香水が気化した場合でも、粘度が変化せず液滴吐出装置から安定して吐出させることができる。
また、単一の組成物からなる脱臭剤又は香水と、この脱臭剤又は香水と粘度が略同一である溶媒との混合液を液滴として吐出するようにしているため、この単一の組成物からなる脱臭剤又は香水や溶媒が気化した場合でも、粘度が変化せず液滴吐出装置１から安定して吐出させることができる。
【産業上の利用可能性】
【００３３】
本発明の実施形態１及び実施形態２では、単一の組成物からなる液体、又は単一の組成物からなる液体とこの液体と粘度が同一である溶媒との混合液を液滴として吐出するようにしているが、この液体として薬剤や嗅ぎタバコを使用して、液滴吐出装置を薬剤や嗅ぎタバコの吸入に使用することもできる。
【図面の簡単な説明】
【００３４】
【図１】実施形態１に係る液滴吐出方法に使用される液滴吐出装置を示す平面図。
【図２】液滴吐出装置で液体を吐出する液滴吐出方法を実施する例を示す斜視図。
【図３】液滴吐出装置にカートリッジが取付けられた状態を示す部分斜視図。
【図４】カートリッジのインクジェットヘッドの部分を抽出した拡大分解図。
【符号の説明】
【００３５】
１  液滴吐出装置、２  前面部、３  操作パネル、４  電池、５  電池取付け部、６  駆動回路、７  カートリッジ、８  カートリッジ取付け部、９  液体、１０  インクジェットヘッド、１１  タンク部、２１  キャビティ基板、２２  電極基板、２３  カバーガラス、２５  液体供給口、２６  オリフィス、２７  吐出室、２８  ノズル穴、２９  振動板、３０  共通電極、３１  個別電極、３２  配線、５１  農地、５２  支柱。
【図１】
2005125225.tif 000003
【図２】
2005125225.tif 000004
【図３】
2005125225.tif 000005
【図４】
2005125225.tif 000006